(57)【要約】【課題】冗長な記憶セルを使用することなく不良セルによる影響を回避する。【解決手段】フレームメモリ１２内の非周辺部用メモリ領域１２１に不良セル１２１Ａが存在する場合、その不良セル１２１Ａを含む１ワード分の記憶セルのアドレスを不良アドレスとし、その不良アドレスが外部アドレスによりアクセスされたとき、フレームメモリ１２内の周辺部用メモリ領域１２２の良品の記憶セルである代替セルを含む１ワード分の記憶セルのアドレスを代替アドレスとして、その代替アドレスに変換する。【選択図】  図１
2007188335.tif 000002
【特許請求の範囲】
【請求項１】
１フレーム分の画像データを記憶するフレームメモリを備えた画像データ処理装置において、
前記フレームメモリ内の非周辺部用メモリ領域の不良セルを含む１ワード分の記憶セルのアドレスを不良アドレスとし、前記フレーム内の周辺部用メモリ領域の良品セルを含む１ワード分の記憶セルのアドレスを代替アドレスとして、前記不良アドレスを前記代替アドレスに置き換えることを特徴とする画像データ処理装置。
【請求項２】
前記フレームメモリをアクセスする外部アドレスを前記不良アドレスおよび前記代替アドレスと比較し、該比較結果に応じて前記フレームメモリをアクセスする内部アドレスを生成するアドレス変換部を備え、該アドレス変換部は、
前記外部アドレスが前記不良アドレスと一致するときは前記代替アドレスを前記内部アドレスとして生成し、前記外部アドレスが前記代替アドレスと一致するときは前記不良アドレスを前記内部アドレスとして生成することを特徴とする請求項１記載の画像データ処理装置。
【請求項３】
１フレーム分の画像データを記憶するフレームメモリであって、
前記フレームメモリ内の非周辺部用メモリ領域の不良セルを含む１ワード分の記憶セルのアドレスを不良アドレスとし、前記フレーム内の周辺部用メモリ領域の良品セルを含む１ワード分の記憶セルのアドレスを代替アドレスとして、前記不良アドレスを前記代替アドレスに置き換えることを特徴とするフレームメモリ。
【請求項４】
前記フレームメモリをアクセスする外部アドレスを前記不良アドレスおよび前記代替アドレスと比較し、該比較結果に応じて前記フレームメモリをアクセスする内部アドレスを生成するアドレス変換部を備え、該アドレス変換部は、
前記外部アドレスが前記不良アドレスと一致するときは前記代替アドレスを前記内部アドレスとして生成し、前記外部アドレスが前記代替アドレスと一致するときは前記不良アドレスを前記内部アドレスとして生成することを特徴とする請求項３記載のフレームメモリ。
【発明の詳細な説明】
【技術分野】
【０００１】
本発明は、非周辺部用メモリ領域内の不良セルを含む１ワード分の記憶セルのアドレスである不良アドレスを周辺部用メモリ領域内の良品セルを含む１ワード分の記憶セルのアドレスである代替アドレスと置き換えることにより不良セルによる悪影響を回避した画像データ処理装置およびフレームメモリに関するものである。
【背景技術】
【０００２】
図３に一般的な画像データ処理装置の概略構成を示す。画像データ生成部１１は１フレーム分の画像をアドレスとの対として生成し、そのデータがアドレスにより振り分けられてフレームメモリ１２に書き込まれる。ビデオ信号生成部１３はフレームメモリ１２から読み出した画像データをＤ／Ａ変換してビデオ信号を生成する。そして、このビデオ信号が表示装置１４の表示パネルで表示される。
【０００３】
図４には、フレームメモリ１２内に記憶された画素データ（複数ビットからなる１ワードで表される階調データ）の配列を、表示装置１４の表示パネル上での表示位置に対応させて示す。画素データは表示パネルの画素（例えばカラーであればＲＧＢで１画素分）と１：１で対応づけられて、アドレスが付与されている。つまり、フレームメモリ１２には、各画素データが、左上の画素データがワード０、その右の画素データがワード１、その右の画素データがワード２で表されるデータとして、順次アドレスが付与され記憶されている。例えば点順次走査では、ワード０→ワード１→・・・・・・→ワードｈ−１→・・・・・・・・・→ワードｈ×ｖ−１の順序で書き込みや読み出しが行われる。図４の例では横がｈ画素、縦がｖ画素の表示パネル上での表示位置に対応させて示している。
【０００４】
図５はフレームメモリ１２の例えばある１ビット分の記憶セルが不良セル１２Ａとなっている場合を示す図である。このような不良セル１２Ａが存在すると、この不良セル１２Ａを含むワードへの画像データの書き込みが正常に行われず、書き込まれた画像データを読み出して表示パネル上に表示したときにも不良となる。これによって、表示画像の劣化が発生する。フレームメモリにかかわらず一般のメモリにおいて、不良セルを救済するための方法として、冗長な記憶セルを特別に用意し、製造テストで不良セルを発見した場合、論理的に冗長セルと不良セルを置換する方法が知られている（例えば、特許文献１）。置換の方法は、不良セルを含む１ワード分の記憶セルのアドレスを不良アドレスとして記憶しておき、その不良アドレスにアクセスがあった時にそのアドレスを冗長セルを含む１ワード分の記憶セルのアドレスに変換するものである。
【特許文献１】特開平１１−１５９６２号公報（段落０００９）
【発明の開示】
【発明が解決しようとする課題】
【０００５】
しかしならら、上記した対策では冗長な記憶セルを特別に備える必要があるため、フレームメモリの製造コストが上昇するという問題がある。本発明の目的は、冗長な記憶セルを使用することなく不良セルによる影響を回避することである。
【課題を解決するための手段】
【０００６】
上記課題を解決するために、請求項１にかかる発明は、１フレーム分の画像データを記憶するフレームメモリを備えた画像データ処理装置において、前記フレームメモリ内の非周辺部用メモリ領域の不良セルを含む１ワード分の記憶セルのアドレスを不良アドレスとし、前記フレーム内の周辺部用メモリ領域の良品セルを含む１ワード分の記憶セルのアドレスを代替アドレスとして、前記不良アドレスを前記代替アドレスに置き換えることを特徴とする。
請求項２にかかる発明は、請求項１にかかる画像データ処理装置の発明において、前記フレームメモリをアクセスする外部アドレスを前記不良アドレスおよび前記代替アドレスと比較し、該比較結果に応じて前記フレームメモリをアクセスする内部アドレスを生成するアドレス変換部を備え、該アドレス変換部は、前記外部アドレスが前記不良アドレスと一致するときは前記代替アドレスを前記内部アドレスとして生成し、前記外部アドレスが前記代替アドレスと一致するときは前記不良アドレスを前記内部アドレスとして生成することを特徴とする。
請求項３にかかる発明は、１フレーム分の画像データを記憶するフレームメモリであって、前記フレームメモリ内の非周辺部用メモリ領域の不良セルを含む１ワード分の記憶セルのアドレスを不良アドレスとし、前記フレーム内の周辺部用メモリ領域の良品セルを含む１ワード分の記憶セルのアドレスを代替アドレスとして、前記不良アドレスを前記代替アドレスに置き換えることを特徴とする。
請求項４にかかる発明は、請求項３にかかるフレームメモリの発明において、前記フレームメモリをアクセスする外部アドレスを前記不良アドレスおよび前記代替アドレスと比較し、該比較結果に応じて前記フレームメモリをアクセスする内部アドレスを生成するアドレス変換部を備え、該アドレス変換部は、前記外部アドレスが前記不良アドレスと一致するときは前記代替アドレスを前記内部アドレスとして生成し、前記外部アドレスが前記代替アドレスと一致するときは前記不良アドレスを前記内部アドレスとして生成することを特徴とする。
【発明の効果】
【０００７】
本発明によれば、不良アドレスが代替アドレスに変換されるので、不良セルによる悪影響を回避することができる。しかも、その代替アドレスで選択される良品セルはフレームメモリの周辺部用メモリ領域の記憶セルであるので、特別な冗長記憶セルを備える必要がない。
【発明を実施するための最良の形態】
【０００８】
図１は本発明の１つの実施例の画像データ処理装置の要部を示すブロック図である。１０はアドレス変換部であり、外部からアクセスされる外部アドレスの内の特定のアドレスを特定の内部アドレスに変換して、フレームメモリ１２をアクセスする。アドレス比較部１０１とマルチプレクサ（セレクタ）１０２と不良アドレス格納部１０３と代替アドレス格納部１０４を備える。なお、ここではアドレス系以外の構成については従来と同じであるので省略している。
【０００９】
不良アドレス格納部１０３には、例えば図２に示すように、フレームメモリ１２の非周辺部用メモリ領域１２１内の複数の記憶セルの内に不良セル１２１Ａが存在する場合、製造テスト時にその不良セル１２１Ａを発見しておき、その不良セル１２１Ａを含む１ワード分（１個の画像データ分）の記憶セルのアドレスを不良アドレスＡ２として格納しておく。また、代替アドレス格納部１０４には、フレームメモリ１２の周辺部用メモリ領域１２２内の任意の良品セル１２２Ａを含む１ワード分の記憶セルのアドレスを代替アドレスＡ３として格納しておく。
【００１０】
例えば、ビデオ信号生成部１３においてＮＴＳＣ規格に従ってビデオ信号を生成し、表示装置１４で表示する場合、フレームの周辺部には表示されない領域（非表示領域）が存在する。本発明においては、この周辺部に対応したメモリ領域を周辺部用メモリ領域１２２として利用し、この周辺部用メモリ領域１２２に代替アドレスを設定する。本発明では、代替アドレスが不良アドレスに置き換えられた場合、その代替アドレスに対応する位置の画素データは正常に記憶されない。しかし、実際には表示されない非表示領域の画素データであれば、正常に記憶されなかった場合でも表示画像の劣化は生じない。なお、規格によって、非表示領域が存在しない場合であっても、一般的に、フレームの周辺部の画素であれば正常に表示されなくても人間の目には目立ちにくい。従って、非表示領域が存在しない場合であっても、フレームメモリ１２の周辺部用メモリ領域１２２に代替アドレスを設定し、目立ちやすい非周辺部の不良アドレスと置き換えることにより、表示画像の劣化を低減、若しくは実質的に防止することができる。
【００１１】
ここで、図１にもどって、本発明のアドレス変換部１０についてさらに説明する。アドレス比較部１０１は、外部アドレスＡ１、不良アドレスＡ２および代替アドレスＡ３を取り込み、Ａ１＝Ａ２のとき「０」を出力し、Ａ１＝Ａ３のとき「１」を出力し、Ａ１≠Ａ２≠Ａ３のとき「２」を出力する。マルチプレクサ１０２は、アドレス比較部１０１からの出力「０」、「１」、「２」に応じて、入力ポート「０」、「１」、「２」を選択し、内部アドレスＡ０を出力する。
【００１２】
以上により、外部アドレスＡ１が不良アドレスＡ２と一致する場合は内部アドレスＡ０として代替アドレスＡ３が選択される。外部アドレスＡ１が代替アドレスＡ３と一致する場合は内部アドレスＡ０として不良アドレスＡ２が選択される。外部アドレスＡ１が不良アドレスＡ２、代替アドレスＡ３のいずれとも一致しない場合は外部アドレスＡ１がそのまま内部アドレスＡ０として使用される。
【００１３】
よって、フレームメモリ１２の非周辺部用メモリ領域１２１内に不良セル１２１Ａが存在していても、この不良セル１２１Ａをアクセスする際に、この不良セル１２１Ａを含む１ワード分の記憶セルを選択する不良アドレスが、良品の代替セル１２２Ａを含む１ワード分の記憶セルを選択する代替アドレスに変換される。このため、１個のワードで表される画像データを正常に書き込むことができる。読み出す際も同様にアドレス変換されるので、正常な画像表示を行うことができる。
【００１４】
また、代替セル１２２Ａをアクセスする際は、この代替セル１２２Ａを含む１ワード分の画素セルを選択する代替アドレスが、不良セル１２１Ａを含む１ワード分の記憶セルを選択する不良アドレスに変換される。しかし、ここに書き込まれた画像データは表示パネルで実際には表示されないか、若しくは目立ちにくい周辺部に表示されるので、不都合は生じない。かくして、フレームメモリ１２に画像データを書き込んだり、そこから読み出す際には、外部ドレスは一切変更する必要がなく、ランダムに発生する不良セル１２１への対応は、個々のフレームメモリ１２に応じて不良アドレス格納部１０３に不良アドレスを設定し、代替アドレス格納部１０４に代替アドレスを設定することのみで済む。
【００１５】
なお、以上説明した実施例では、フレームメモリ１２の非周辺部用メモリ領域１２１に不良セルが１個ある場合について説明したが、複数の不良セルがある場合は周辺部用メモリ領域１２２に複数の代替セルを割り当てればよい。
【００１６】
アドレス変換部１０は、フレーム１２と同一の半導体チップ上に形成し、不良アドレス格納部１０３および代替アドレス格納部１０４に、製造テストで発見した不良アドレスおよび代替アドレスを格納し、単体でアドレス変換機能を有するフレームメモリとして販売することも可能である。若しくは、アドレス変換部１０を別チップ上に形成し、アドレス変換機能を持たないフレームメモリ１２と組み合わせて利用するようにしてもよい。後者の場合には、フレームメモリ１２の受け入れ検査で発見した不良アドレスおよび代替アドレスを、不良アドレス格納部１０３および代替アドレス格納部１０４に格納する。
【００１７】
フレームメモリ１２は、１個でＲＧＢの画素データを記憶できる容量を有するものであってもよい。若しくは、ＲＧＢいずれかのデータを記憶できるフレームメモリを３個組み合わせて利用するようにしてもよい。フレームメモリ１２は、少なくとも１フレーム分の画像データを記憶する容量をもつものであるが、それ以上の容量をもつものであってもよい。例えば、２フレーム、若しくはそれ以上のフレームの画像データを記憶するものであってもよい。
【図面の簡単な説明】
【００１８】
【図１】本発明の画像データ処理装置の要部のブロック図である。
【図２】フレームメモリの説明図である。
【図３】一般的な画像データ処理装置のブロック図である。
【図４】フレームメモリの説明図である。
【図５】フレームメモリの説明図である。
【符号の説明】
【００１９】
１０：アドレス変換部、１０１：アドレス比較器、１０２：マルチプレクサ、１０３：不良アドレス格納部、１０４：代替アドレス格納部
１１：画像データ生成部
１２：フレームメモリ、１２１：非周辺部用メモリ領域、１２２：周辺部用メモリ領域、１２１Ａ：不良セル、１２２Ａ：代替セル
１３：ビデオ信号生成部
１４：表示装置
【図１】
2007188335.tif 000003
【図２】
2007188335.tif 000004
【図３】
2007188335.tif 000005
【図４】
2007188335.tif 000006
【図５】
2007188335.tif 000007